【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
文書イメージデータを、属性に応じて、本文領域とキャプション領域と該キャプション領域が付随するオブジェクト領域とを含む複数の領域に分割する領域分割手段と、
前記領域分割手段により分割された前記本文領域と、前記キャプション領域とについて、それぞれの領域内の各文字を文字認識することにより文字情報を取得する文字認識手段と、
前記キャプション領域における文字情報から、前記オブジェクト領域を指し示す所定の文字列を含むアンカー表現を抽出するアンカー表現抽出手段と、
前記本文領域における文字情報から、前記アンカー表現抽出手段により抽出された前記アンカー表現を検索する本文内検索手段と、
前記本文領域において前記本文内検索手段により検索された前記アンカー表現を含む領域をアンカー表現周辺領域とし、前記オブジェクト領域を含む領域を画像周辺領域として、前記アンカー表現周辺領域と前記画像周辺領域とを互いに関連付ける双方向のリンク情報を生成するリンク情報生成手段と、
前記文書イメージデータと前記双方向のリンク情報とを含む電子文書データを生成するフォーマット変換手段と
を備えることを特徴とする画像処理装置。
【請求項２】
前記リンク情報生成手段は、前記画像周辺領域と、前記検索された複数個のアンカー表現を含む領域である複数個の前記アンカー表現周辺領域とを関連付けることにより、前記双方向のリンク情報を生成し、
前記双方向のリンク情報は、前記画像周辺領域からのリンク先の複数個の候補として前記複数個のアンカー表現周辺領域に関する情報を表示するための候補表示情報を含み、前記フォーマット変換手段は、前記文書イメージデータと、前記候補表示情報を含む前記双方向のリンク情報とを含む電子文書データを生成する
ことを特徴とする
請求項１に記載の画像処理装置。
【請求項３】
前記本文内検索手段により前記アンカー表現が複数個検索された場合に、前記リンク情報生成手段で生成される前記双方向のリンク情報は、複数個の前記アンカー表現が存在する旨のメッセージを表示させるための情報を更に含むことを特徴とする請求項２に記載の画像処理装置。
【請求項４】
前記画像領域は、表、線画、写真の領域の少なくともいずれかを含むことを特徴とする請求項１に記載の画像処理装置。
【請求項５】
前記アンカー表現抽出手段は、図番号の文字列を前記アンカー表現として抽出することを特徴とする請求項１に記載の画像処理装置。
【請求項６】
前記電子文書データのファイルフォーマットは、ＳＶＧ，ＸＰＳ、ＰＤＦ、ＯｆｆｉｃｅＯｐｅｎＸＭＬに関するファイルフォーマットであることを特徴とする請求項１に記載の画像処理装置。
【請求項７】
前記双方向のリンク情報は、前記画像周辺領域から前記アンカー表現周辺領域への第１のリンクと、前記アンカー表現周辺領域から前記画像周辺領域への第２のリンクとを含み、
前記第１のリンクは、前記画像周辺領域に対してユーザが所定のアクションをした場合に、当該関連付けられているアンカー表現周辺領域を表示するための情報を含み、
前記第２のリンクは、前記アンカー表現周辺領域に対してユーザが所定のアクションをした場合に、当該関連付けられている画像周辺領域を表示するための情報を含む、
ことを特徴とする請求項１に記載の画像処理装置。
【請求項８】
前記候補表示情報は、前記画像周辺領域に対してユーザが所定のアクションをした場合に、当該関連付けられている複数個の前記アンカー表現周辺領域に関する情報を、前記画像周辺領域からのリンク先の複数個の候補としてリスト表示し、当該リスト表示した複数個の候補の中からユーザ所望の候補を選択させるための情報であることを特徴とする請求項２に記載の画像処理装置。
【請求項９】
前記フォーマット変換手段で生成される電子文書データに含まれる前記文書イメージデータは、ベクトル変換処理と画像圧縮処理との少なくともいずれかを実行することによって得られたデータであることを特徴とする請求項１に記載の画像処理装置。
【請求項１０】
文書イメージデータを、属性に応じて、本文領域とキャプション領域と該キャプション領域が付随するオブジェクト領域とを含む複数の領域に分割する領域分割手段と、
前記領域分割手段により分割された前記本文領域と、前記キャプション領域とについて、それぞれの領域内の各文字を文字認識することにより文字情報を取得する文字認識手段と、
前記キャプション領域における文字情報から、前記オブジェクト領域を指し示す所定の文字列を含むアンカー表現を抽出するアンカー表現抽出手段と、
前記本文領域における文字情報から、前記アンカー表現抽出手段により抽出された前記アンカー表現を検索する本文内検索手段と、
前記本文領域において前記本文内検索手段により検索された前記アンカー表現を含む領域をアンカー表現周辺領域とし、前記オブジェクト領域を含む領域を画像周辺領域として、前記本文内検索手段により前記アンカー表現が複数個検索された場合に、前記画像周辺領域と、前記検索された複数個のアンカー表現を含む領域である複数個の前記アンカー表現周辺領域とを互いに関連付ける双方向のリンク情報であって、前記画像周辺領域からのリンク先の複数個の候補として前記複数個のアンカー表現周辺領域に関する情報を表示するための候補表示情報を含む双方向のリンク情報を生成するリンク情報生成手段と、
前記文書イメージデータと、前記候補表示情報を含む前記双方向のリンク情報とを含む電子文書データを生成するフォーマット変換手段と
を備える画像処理装置により生成される前記電子文書データを表示するための電子文書表示装置であって、
ユーザにより前記アンカー表現周辺領域の１つが選択されたときに、当該選択されたアンカー表現周辺領域の位置を位置情報として保持する位置情報保持手段と、
ユーザにより画像周辺領域が選択されたときに、前記位置情報保持手段で前記位置情報が保持されているか判断し、前記位置情報が保持されている場合に当該位置情報が示す前記アンカー表現周辺領域の位置に基づいて当該アンカー表現周辺領域を表示し、前記位置情報が保持されていない場合に候補表示情報に基づいてリンク先の複数個の候補を表示する表示手段と
を備えることを特徴とする電子文書表示装置。
【請求項１１】
文書イメージデータを、属性に応じて、本文領域とキャプション領域と該キャプション領域が付随するオブジェクト領域とを含む複数の領域に分割する領域分割ステップと、
前記領域分割ステップにおいて分割された前記本文領域と、前記キャプション領域とについて、それぞれの領域内の各文字を文字認識することにより文字情報を取得する文字認識ステップと、
前記キャプション領域における文字情報から、前記オブジェクト領域を指し示す所定の文字列を含むアンカー表現を抽出するアンカー表現抽出ステップと、
前記本文領域における文字情報から、前記アンカー表現抽出ステップにより抽出された前記アンカー表現を検索する本文内検索ステップと、
前記本文領域において前記本文内検索ステップにより検索された前記アンカー表現を含む領域をアンカー表現周辺領域とし、前記オブジェクト領域を含む領域を画像周辺領域として、前記アンカー表現周辺領域と前記画像周辺領域とを互いに関連付ける双方向のリンク情報を生成するリンク情報生成ステップと、
前記文書イメージデータと前記双方向のリンク情報とを含む電子文書データを生成するフォーマット変換ステップと
を備えることを特徴とする画像処理方法。
【請求項１２】
コンピュータ可読媒体であって、コンピュータに、
文書イメージデータを、属性に応じて、本文領域とキャプション領域と該キャプション領域が付随するオブジェクト領域とを含む複数の領域に分割する領域分割ステップと、
前記領域分割ステップにおいて分割された前記本文領域と、前記キャプション領域とについて、それぞれの領域内の各文字を文字認識することにより文字情報を取得する文字認識ステップと、
前記キャプション領域における文字情報から、前記オブジェクト領域を指し示す所定の文字列を含むアンカー表現を抽出するアンカー表現抽出ステップと、
前記本文領域における文字情報から、前記アンカー表現抽出ステップにより抽出された前記アンカー表現を検索する本文内検索ステップと、
前記本文領域において前記本文内検索ステップにより検索された前記アンカー表現を含む領域をアンカー表現周辺領域とし、前記オブジェクト領域を含む領域を画像周辺領域として、前記アンカー表現周辺領域と前記画像周辺領域とを互いに関連付ける双方向のリンク情報を生成するリンク情報生成ステップと、
前記文書イメージデータと前記双方向のリンク情報とを含む電子文書データを生成するフォーマット変換ステップと
を実行させることを特徴とするコンピュータ可読媒体。
【手続補正２】
【補正対象書類名】明細書
【補正対象項目名】０００９
【補正方法】変更
【補正の内容】
【０００９】
前述した課題を解決するために、請求項１に記載の発明は、文書イメージデータを、属性に応じて、本文領域とキャプション領域と該キャプション領域が付随するオブジェクト領域とを含む複数の領域に分割する領域分割手段と、前記領域分割手段により分割された前記本文領域と、前記キャプション領域とについて、それぞれの領域内の各文字を文字認識することにより文字情報を取得する文字認識手段と、前記キャプション領域における文字情報から、前記オブジェクト領域を指し示す所定の文字列を含むアンカー表現を抽出するアンカー表現抽出手段と、前記本文領域における文字情報から、前記アンカー表現抽出手段により抽出された前記アンカー表現を検索する本文内検索手段と、前記本文領域において前記本文内検索手段により検索された前記アンカー表現を含む領域をアンカー表現周辺領域とし、前記オブジェクト領域を含む領域を画像周辺領域として、前記アンカー表現周辺領域と前記画像周辺領域とを互いに関連付ける双方向のリンク情報を生成するリンク情報生成手段と、前記文書イメージデータと前記双方向のリンク情報とを含む電子文書データを生成するフォーマット変換手段とを備えることを特徴とする画像処理装置である。